(57)【要約】【課題】ツインクラッチ式変速機に関し、変速フィーリングの悪化を防止する。【解決手段】第１クラッチ１０、第１入力軸１１、第２クラッチ１２、第２入力軸１３、出力軸１４、副軸１５、第１入力主ギヤ２０Ａ及び第１入力副ギヤ２０Ｂを含む第１入力ギヤ対２０、第２入力主ギヤ２１Ａ及び第２入力副ギヤ２１Ｂを含む第２入力ギヤ対２１、第１出力主ギヤ３２Ａ及び第１出力副ギヤ３２Ｂを含む第１変速ギヤ対３２、第２出力主ギヤ３０Ａ及び第２出力副ギヤ３０Ｂを含む第２変速ギヤ対３０、第３出力主ギヤ３１Ａ及び第３出力副ギヤ３１Ｂを含む第３変速ギヤ対３１、第１入力主ギヤ２０Ａ又は第２出力主ギヤ３０Ａを出力軸１４に連結する第１連結機構４０、第２出力副ギヤ３０Ｂ又は第３出力副ギヤ３１Ｂを副軸１５に連結する第２連結機構４１、第１出力主ギヤ３２Ａを出力軸１４に連結する第３連結機構４２を備えた。【選択図】図１
2015086930.tif 000002
【特許請求の範囲】
【請求項１】
駆動源からの動力を断接する第１クラッチを有する第１入力軸と、
前記駆動源からの動力を断接する第２クラッチを有する第２入力軸と、
前記第１入力軸と同軸上に配置された出力軸と、
前記第１入力軸、前記第２入力軸及び、前記出力軸と平行に配置された副軸と、
前記第１入力軸に固定された第１入力主ギヤ及び、前記副軸に相対回転可能に設けられて前記第１入力主ギヤと噛合する第１入力副ギヤを含む第１入力用ギヤ対と、
前記第２入力軸に固定された第２入力主ギヤ及び、前記副軸に固定されて前記第２入力主ギヤと噛合する第２入力副ギヤを含む第２入力用ギヤ対と、
前記出力軸に相対回転可能に設けられた第１出力主ギヤ及び、前記副軸に固定されて前記第１出力主ギヤと噛合する第１出力副ギヤを含む第１変速用ギヤ対と、
前記第１出力主ギヤよりも入力端側の前記出力軸に相対回転可能に設けられた第２出力主ギヤ及び、前記第１入力副ギヤと一体回転可能に形成されて前記第２出力主ギヤと噛合する第２出力副ギヤを含む第２変速用ギヤ対と、
前記第２出力主ギヤと前記第１出力主ギヤとの間の前記出力軸に固定された第３出力主ギヤ及び、前記副軸に相対回転可能に設けられて前記第３出力主ギヤと噛合する第３出力副ギヤを含む第３変速用ギヤ対と、
前記第１入力主ギヤ及び、前記第２出力主ギヤを前記出力軸に選択的に連結可能な第１連結手段と、
前記第２出力副ギヤ及び、前記第３出力副ギヤを前記副軸に選択的に連結可能な第２連結手段と、
少なくとも前記第１出力主ギヤを前記出力軸に選択的に連結可能な第３連結手段と、を備えるツインクラッチ式変速機。
【請求項２】
前記第１出力主ギヤよりも出力端側の前記出力軸に相対回転可能に設けられた第４出力主ギヤ及び、前記副軸に固定されて前記第４出力主ギヤと噛合する第４出力副ギヤを含む第４変速用ギヤ対と、
少なくとも前記第４出力副ギヤを前記副軸に選択的に連結可能な第４連結手段と、をさらに備える
請求項１に記載のツインクラッチ式変速機。
【請求項３】
前記第１、第２及び、第４変速用ギヤ対が、出力軸側のギヤ歯数を副軸側のギヤ歯数よりも多く設定された減速用ギヤ対であり、
前記第３変速用ギヤ対が、出力軸側のギヤ歯数を副軸側のギヤ歯数よりも少なく設定された増速用ギヤ対である
請求項２に記載のツインクラッチ式変速機。
【請求項４】
前記第１変速用ギヤ対が１速及び、２速兼用の変速ギヤ対であり、
前記第３変速用ギヤ対が６速用の変速ギヤ対であり、
７速の場合は、前記第２クラッチを接続し、前記第２連結手段により前記第２出力副ギヤと前記副軸とを連結し、且つ、前記第１連結手段により前記第１入力主ギヤと前記出力軸とを連結して、前記第１入力用ギヤ対を変速用ギヤ対として利用する
請求項１から３の何れか一項に記載のツインクラッチ式変速機。
【発明の詳細な説明】
【技術分野】
【０００１】
本発明は、ツインクラッチ式変速機に関する。
【背景技術】
【０００２】
従来、駆動源からの動力を断接する第１クラッチが設けられた第１インプットシャフトと、駆動源からの動力を断接する第２クラッチが設けられた第２インプットシャフトと、複数の変速用ギヤ対とを備え、第１クラッチ及び第２クラッチを交互に切り替えることで変速を行うツインクラッチ式変速機が知られている。
【０００３】
例えば、特許文献１には、プライマリギヤ対を６速の変速用ギヤ対として再利用することで変速用ギヤ対を削減したツインクラッチ式変速機が開示されている。
【先行技術文献】
【特許文献】
【０００４】
【特許文献１】特開２０１０−５３１４１７号公報
【発明の概要】
【発明が解決しようとする課題】
【０００５】
上述のプライマリギヤ対を再利用する従来技術では、図１０（Ａ）に示すように、１速及び２速の変速は、１／２速兼用変速ギヤ対３２０をインプットシャフト１４０に連結し、第１プライマリギヤ対２００と第２プライマリギヤ対２１０とを選択的に切り替えることで実現される。また、図１０（Ｂ）に示すように、５速の変速は、第１インプットシャフト１１０をアウトプットシャフト１４０と直結し、６速の変速は、第１プライマリギヤ対２００を変速用ギヤ対として再利用することで実現される。
【０００６】
すなわち、従来型のツインクラッチ式変速機では、１〜２速間の段間比は第１プライマリギヤ対２００のギヤレシオと第２プライマリギヤ対２１０のギヤレシオとの比になり、５〜６速間の段間比は第２プライマリギヤ対２１０のギヤレシオと第１プライマリギヤ対２００のギヤレシオの逆数との積になり、これら１〜２速間及び５〜６速間の段間比が互いに等しくなる。
【０００７】
一般的に変速時の繋がり感（以下、変速フィーリングという）を確保するためには、低速段ほど段間比を広くする一方、高速段は段間比を狭くすることが好ましい。しかしながら、上述のツインクラッチ式変速機では、１〜２速間及び５〜６速間の段間比が互いに等しくなるため、これらを個別に最適な値に設定することができず、変速フィーリングを悪化させる課題がある。
【０００８】
本発明の目的は、変速フィーリングの悪化を効果的に防止することができるツインクラッチ式変速機を提供することにある。
【課題を解決するための手段】
【０００９】
上述の目的を達成するため、本発明のツインクラッチ式変速機は、駆動源からの動力を断接する第１クラッチを有する第１入力軸と、前記駆動源からの動力を断接する第２クラッチを有する第２入力軸と、前記第１入力軸と同軸上に配置された出力軸と、前記第１入力軸、前記第２入力軸及び、前記出力軸と平行に配置された副軸と、前記第１入力軸に固定された第１入力主ギヤ及び、前記副軸に相対回転可能に設けられて前記第１入力主ギヤと噛合する第１入力副ギヤを含む第１入力用ギヤ対と、前記第２入力軸に固定された第２入力主ギヤ及び、前記副軸に固定されて前記第２入力主ギヤと噛合する第２入力副ギヤを含む第２入力用ギヤ対と、前記出力軸に相対回転可能に設けられた第１出力主ギヤ及び、前記副軸に固定されて前記第１出力主ギヤと噛合する第１出力副ギヤを含む第１変速用ギヤ対と、前記第１出力主ギヤよりも入力端側の前記出力軸に相対回転可能に設けられた第２出力主ギヤ及び、前記第１入力副ギヤと一体回転可能に形成されて前記第２出力主ギヤと噛合する第２出力副ギヤを含む第２変速用ギヤ対と、前記第２出力主ギヤと前記第１出力主ギヤとの間の前記出力軸に固定された第３出力主ギヤ及び、前記副軸に相対回転可能に設けられて前記第３出力主ギヤと噛合する第３出力副ギヤを含む第３変速用ギヤ対と、前記第１入力主ギヤ及び、前記第２出力主ギヤを前記出力軸に選択的に連結可能な第１連結手段と、前記第２出力副ギヤ及び、前記第３出力副ギヤを前記副軸に選択的に連結可能な第２連結手段と、少なくとも前記第１出力主ギヤを前記出力軸に選択的に連結可能な第３連結手段とを備える。
【００１０】
また、前記第１出力主ギヤよりも出力端側の前記出力軸に相対回転可能に設けられた第４出力主ギヤ及び、前記副軸に固定されて前記第４出力主ギヤと噛合する第４出力副ギヤを含む第４変速用ギヤ対と、少なくとも前記第４出力副ギヤを前記副軸に選択的に連結可能な第４連結手段と、をさらに備えてもよい。
【００１１】
また、前記第１、第２及び、第４変速用ギヤ対が、出力軸側のギヤ歯数を副軸側のギヤ歯数よりも多く設定された減速用ギヤ対であり、前記第３変速用ギヤ対が、出力軸側のギヤ歯数を副軸側のギヤ歯数よりも少なく設定された増速用ギヤ対であってもよい。
【００１２】
また、前記第１変速用ギヤ対が１速及び、２速兼用の変速ギヤ対であり、前記第３変速用ギヤ対が６速用の変速ギヤ対であり、７速の場合は、前記第２クラッチを接続し、前記第２連結手段により前記第２出力副ギヤと前記副軸とを連結し、且つ、前記第１連結手段により前記第１入力主ギヤと前記出力軸とを連結して、前記第１入力用ギヤ対を変速用ギヤ対として利用してもよい。
【発明の効果】
【００１３】
本発明のツインクラッチ式変速機によれば、変速フィーリングの悪化を効果的に防止することができる。
【図面の簡単な説明】
【００１４】
【図１】本発明の一実施形態に係るツインクラッチ式変速機を示すスケルトン図である。
【図２】図１に示すツインクラッチ式変速機における１速の動力伝達経路を示す図である。
【図３】図１に示すツインクラッチ式変速機における２速の動力伝達経路を示す図である。
【図４】図１に示すツインクラッチ式変速機における３速の動力伝達経路を示す図である。
【図５】図１に示すツインクラッチ式変速機における４速の動力伝達経路を示す図である。
【図６】図１に示すツインクラッチ式変速機における５速の動力伝達経路を示す図である。
【図７】図１に示すツインクラッチ式変速機における６速の動力伝達経路を示す図である。
【図８】図１に示すツインクラッチ式変速機における７速の動力伝達経路を示す図である。
【図９】本実施形態の段間比の一例を説明するグラフである。
【図１０】従来型のツインクラッチ式変速機による動力伝達経路を説明する図である。
【発明を実施するための形態】
【００１５】
以下、添付図面に基づいて、本発明の一実施形態に係るツインクラッチ式変速機を説明する。同一の部品には同一の符号を付してあり、それらの名称および機能も同じである。したがって、それらについての詳細な説明は繰返さない。
【００１６】
図１に示すように、第１インプットシャフト１１の入力側端には、第１クラッチ１０が設けられている。第２インプットシャフト１３の入力側端には、第２クラッチ１２が設けられている。第２インプットシャフト１３には、軸方向に貫通する中空軸が形成されると共に、この中空軸には第１インプットシャフトが相対回転可能に挿通されている。
【００１７】
アウトプットシャフト１４は、第１インプットシャフト１１と同軸上に間隔を隔てて配置されている。カウンタシャフト１５は、インプットシャフト１１，１３及び、アウトプットシャフト１４と平行に配置されている。
【００１８】
第１クラッチ１０は、エンジン２のクランクシャフト３に固定された第１プレッシャプレート１０Ａと、第１インプットシャフト１１の入力側端に固定された第１クラッチディスク１０Ｂとを備えている。第１プレッシャプレート１０Ａが移動して第１クラッチディスク１０Ｂに圧接すると、エンジン２の動力は第１クラッチ１０を介して第１インプットシャフト１１に伝達される。
【００１９】
第２クラッチ１２は、エンジン２のクランクシャフト３に固定された第２プレッシャプレート１２Ａと、第２インプットシャフト１３の入力側端に固定された第２クラッチディスク１２Ｂとを備えている。第２プレッシャプレート１２Ａが移動して第２クラッチディスク１２Ｂに圧接すると、エンジン２の動力は第２クラッチ１２を介して第２インプットシャフト１３に伝達される。
【００２０】
第１プライマリギヤ対２０は、本発明の第１入力用ギヤ対の一例であって、互いに噛合する第１インプットギヤ２０Ａ及び、第１カウンタギヤ２０Ｂを備えている。第１インプットギヤ２０Ａは、第１インプットシャフト１１の出力側端に固定されている。第１カウンタギヤ２０Ｂは、カウンタシャフト１５に相対回転可能に設けられており、後述する３速カウンタギヤ３０Ｂと一体的に形成されている。
【００２１】
第２プライマリギヤ対２１は、本発明の第２入力用ギヤ対の一例であって、互いに噛合する第２インプットギヤ２１Ａ及び、第２カウンタギヤ２１Ｂを備えている。第２インプットギヤ２１Ａは、第２インプットシャフト１３の出力側端に固定されている。第２カウンタギヤ２１Ｂは、カウンタシャフト１５の入力側端に固定されている。すなわち、第２クラッチ１２を介して第２インプットシャフト１３に伝達されるエンジン２の動力は、第２プライマリギヤ対２１を介してカウンタシャフト１５に直接的に伝達される。
【００２２】
３速用変速ギヤ対３０は、本発明の第２変速用ギヤ対の一例であって、互いに噛合する３速アウトプットギヤ３０Ａ及び、３速カウンタギヤ３０Ｂを備えている。３速アウトプットギヤ３０Ａは、アウトプットシャフト１４に相対回転可能に設けられている。３速カウンタギヤ３０Ｂは、第１カウンタギヤ２０Ｂと一体回転可能に形成されている。より詳しくは、一体形成された第１カウンタギヤ２０Ｂ及び、３速カウンタギヤ３０Ｂには、軸方向に貫通する中空軸が形成されると共に、この中空軸にはカウンタシャフト１５が回転自在に挿通されている。３速アウトプットギヤ３０Ａの歯数は、３速カウンタギヤ３０Ｂの歯数よりも多く設定されている。
【００２３】
６速用変速ギヤ対３１は、本発明の第３変速用ギヤ対の一例であって、互いに噛合する６速アウトプットギヤ３１Ａ及び、６速カウンタギヤ３１Ｂを備えている。６速アウトプットギヤ３１Ａは、アウトプットシャフト１４に固定され、６速カウンタギヤ３１Ｂは、カウンタシャフト１５に相対回転可能に設けられている。６速アウトプットギヤ３１Ａの歯数は、６速カウンタギヤ３１Ｂの歯数よりも少なく設定されている。
【００２４】
１／２速兼用変速ギヤ対３２は、本発明の第１変速用ギヤ対の一例であって、互いに噛合する１／２速アウトプットギヤ３２Ａ及び、１／２速カウンタギヤ３２Ｂを備えている。１／２速アウトプットギヤ３２Ａは、アウトプットシャフト１４に相対回転可能に設けられ、１／２速カウンタギヤ３２Ｂは、カウンタシャフト１５に固定されている。１／２速アウトプットギヤ３２Ａの歯数は、１／２速カウンタギヤ３２Ｂの歯数よりも多く設定されている。
【００２５】
リバース用変速ギヤ対３３は、互いに噛合するリバースアウトプットギヤ３３Ａ、リバースカウンタギヤ３３Ｂ及び、アイドラギヤ３３Ｃを備えている。リバースアウトプットギヤ３３Ａは、アウトプットシャフト１４に相対回転可能に設けられ、リバースカウンタギヤ３３Ｂは、カウンタシャフト１５に固定されている。
【００２６】
４速用変速ギヤ対３４は、本発明の第４変速用ギヤ対の一例であって、互いに噛合する４速アウトプットギヤ３４Ａ及び、４速カウンタギヤ３４Ｂを備えている。４速アウトプットギヤ３４Ａは、アウトプットシャフト１４に相対回転可能に設けられ、４速カウンタギヤ３４Ｂは、カウンタシャフト１５に固定されている。４速アウトプットギヤ３４Ａの歯数は、４速カウンタギヤ３４Ｂの歯数よりも多く設定されている。
【００２７】
第１シンクロ機構４０は、本発明の第１連結手段の一例であって、図示しないシフトレバー装置のシフト操作に応じて軸方向に移動可能な第１スリーブ４０Ａと、アウトプットシャフト１４の入力側端に固定されたスプライン４０Ｂと、第１インプットギヤ２０Ａに固定されたスプライン４０Ｃと、３速アウトプットギヤ３０Ａに固定されたスプライン４０Ｄとを備えている。
【００２８】
第１スリーブ４０Ａが第１インプットギヤ２０Ａ側に移動してスプライン４０Ｃと係合すると、第１インプットギヤ２０Ａとアウトプットシャフト１４とが連結（第１インプットシャフト１１とアウトプットシャフト１４とが直結）される。一方、第１スリーブ４０Ａが３速アウトプットギヤ３０Ａ側に移動してスプライン４０Ｄと係合すると、３速アウトプットギヤ３０Ａとアウトプットシャフト１４とが連結される。すなわち、第１シンクロ機構４０によって、第１インプットギヤ２０Ａ及び、３速アウトプットギヤ３０Ａがアウトプットシャフト１４と選択的に連結可能に構成されている。
【００２９】
第２シンクロ機構４１は、本発明の第２連結手段の一例であって、軸方向に移動可能な第２スリーブ４１Ａと、３速カウンタギヤ３０Ｂと６速カウンタギヤ３１Ｂとの間のカウンタシャフト１５に固定されたスプライン４１Ｂと、３速カウンタギヤ３０Ｂに固定されたスプライン４１Ｃと、６速カウンタギヤ３１Ｂに固定されたスプライン４１Ｄとを備えている。
【００３０】
第２スリーブ４１Ａが３速カウンタギヤ３０Ｂ側に移動してスプライン４１Ｃと係合すると、３速カウンタギヤ３０Ｂとカウンタシャフト１５とが連結される。一方、第２スリーブ４１Ａが６速カウンタギヤ３１Ｂ側に移動してスプライン４２Ｄと係合すると、６速カウンタギヤ３１Ｂとカウンタシャフト１５とが連結される。すなわち、第２シンクロ機構４１によって、３速カウンタギヤ３０Ｂ及び、６速カウンタギヤ３１Ｂがカウンタシャフト１５と選択的に連結可能に構成されている。
【００３１】
第３シンクロ機構４２は、本発明の第３連結手段の一例であって、軸方向に移動可能な第３スリーブ４２Ａと、１／２速アウトプットギヤ３２Ａとリバースアウトプットギヤ３３Ａとの間のアウトプットシャフト１４に固定されたスプライン４２Ｂと、１／２速アウトプットギヤ３２Ａに固定されたスプライン４２Ｃと、リバースアウトプットギヤ３３Ａに固定されたスプライン４２Ｄとを備えている。
【００３２】
第３スリーブ４２Ａが１／２速アウトプットギヤ３２Ａ側に移動してスプライン４２Ｃと係合すると、１／２速アウトプットギヤ３２Ａとアウトプットシャフト１４とが連結される。一方、第３スリーブ４２Ａがリバースアウトプットギヤ３３Ａ側に移動してスプライン４２Ｄと係合すると、リバースアウトプットギヤ３３Ａとアウトプットシャフト１４とが連結される。すなわち、第３シンクロ機構４２によって、１／２速アウトプットギヤ３２Ａ及び、リバースアウトプットギヤ３３Ａがアウトプットシャフト１４と選択的に連結可能に構成されている。
【００３３】
第４シンクロ機構４３は、本発明の第４連結手段の一例であって、軸方向に移動可能な第４スリーブ４３Ａと、４速アウトプットギヤ３４Ａよりも出力端側のアウトプットシャフト１４に固定されたスプライン４３Ｂと、４速アウトプットギヤ３４Ａに固定されたスプライン４３Ｃとを備えている。
【００３４】
第４スリーブ４３Ａが４速アウトプットギヤ３４Ａ側に移動してスプライン４３Ｃと係合すると、４速アウトプットギヤ３４Ａとアウトプットシャフト１４とが連結される。すなわち、第４シンクロ機構４３によって、４速アウトプットギヤ３４Ａがアウトプットシャフト１４と選択的に連結可能に構成されている。
【００３５】
変速機制御ユニット（ＴＣＵ）８０は、図示しないシフト装置のシフト操作に応じて、第１クラッチ１０、第２クラッチ１２、各シンクロ機構４０〜４３を作動させる変速制御を実行する。以下、ＴＣＵ８０の変速制御による各前進段の動力伝達経路を図２〜８に基づいて説明する。
【００３６】
図２は、１速の動力伝達経路を示している。１速の場合は、第１クラッチ１０が選択され、第２シンクロ機構４１によって３速カウンタギヤ３０Ｂとカウンタシャフト１５とが連結され、第３シンクロ機構４２によって１／２速アウトプットギヤ３２Ａとアウトプットシャフト１４とが連結される。
【００３７】
すなわち、エンジン２の動力は、第１クラッチ１０から第１インプットシャフト１１、第１プライマリギヤ対２０、３速カウンタギヤ３０Ｂ、カウンタシャフト１５、１／２速兼用変速ギヤ対３２を介してアウトプットシャフト１４に伝達される。
【００３８】
図３は、２速の動力伝達経路を示している。２速の場合は、１速の状態から第１クラッチ１０を第２クラッチ１２に切り替えることで実行される。すなわち、エンジン２の動力は、第２クラッチ１２から第２インプットシャフト１３、第２プライマリギヤ対２１、カウンタシャフト１５、１／２速兼用変速ギヤ対３２を介してアウトプットシャフト１４に伝達される。
【００３９】
図４は、３速の動力伝達経路を示している。３速の場合は、２速の状態で第１シンクロ機構４０によって３速アウトプットギヤ３０Ａとアウトプットシャフト１４とを連結して待機状態とし、第２クラッチ１２を第１クラッチ１０に切り替えることで実行される。
【００４０】
すなわち、エンジン２の動力は、第１クラッチ１０から第１インプットシャフト１１、第１プライマリギヤ対２０、３速用変速ギヤ対３０を介してアウトプットシャフト１４に伝達される。
【００４１】
図５は、４速の動力伝達経路を示している。４速の場合は、３速の状態で第４シンクロ機構４３によって４速アウトプットギヤ３４Ａとアウトプットシャフト１４とを連結して待機状態とし、第１クラッチ１０を第２クラッチ１２に切り替えることで実行される。
【００４２】
すなわち、エンジン２の動力は、第２クラッチ１２から第２インプットシャフト１３、第２プライマリギヤ対２１、カウンタシャフト１５、４速用変速ギヤ対３４を介してアウトプットシャフト１４に伝達される。
【００４３】
図６は、５速の動力伝達経路を示している。５速の場合は、４速の状態で第１シンクロ機構４０によって第１インプットギヤ２０Ａとアウトプットシャフト１４とを連結（直結）して待機状態とし、第２クラッチ１２を第１クラッチ１０に切り替えることで実行される。
【００４４】
すなわち、エンジン２の動力は、第１クラッチ１０から第１インプットシャフト１１、第１インプットギヤ２０Ａを介してアウトプットシャフト１４に伝達される。
【００４５】
図７は、６速の動力伝達経路を示している。６速の場合は、５速の状態で第２シンクロ機構４１によって６速カウンタギヤ３１Ｂとカウンタシャフト１５とを連結して待機状態とし、第１クラッチ１０を第２クラッチ１２に切り替えることで実行される。
【００４６】
すなわち、エンジン２の動力は、第２クラッチ１２から第２インプットシャフト１３、第２プライマリギヤ対２１、カウンタシャフト１５、６速用変速ギヤ対３１を介してアウトプットシャフト１４に伝達される。
【００４７】
図８は、７速の動力伝達経路を示している。７速の場合は、６速の状態で第２クラッチ１２を一旦切断する。そして、第１シンクロ機構４０によって第１インプットギヤ２０Ａとアウトプットシャフト１４とを連結し、第２シンクロ機構４１によって３速カウンタギヤ３０Ｂとカウンタシャフト１５とを連結すると共に、第２クラッチ１２を再度接続することで実行される。
【００４８】
すなわち、エンジン１０の動力は、第２クラッチ１２から第２インプットシャフト１３、第２プライマリギヤ対２１、カウンタシャフト１５、３速カウンタギヤ３０Ｂ、第１プライマリギヤ対２０を介してアウトプットシャフト１４に伝達される。これにより、第１プライマリギヤ対２０の変速用ギヤ対としての再利用が実現される。なお、６〜７速へのシフトチェンジ時に第２クラッチ１２を断接するため、いわゆるトルク抜けが生じるが、高速段のためその影響は少ない。
【００４９】
次に、本実施形態に係るツインクラッチ式変速機のギヤレシオ及び段間比について説明する。なお、以下の説明に用いる各数値は本実施形態の一例であって、本発明の趣旨を一脱しない範囲で適宜最適な値に設定することが可能である。
【００５０】
各ギヤ対の歯数及びギヤレシオの一例を以下の表１、各変速段１〜７のギヤレシオを以下の表２に示す。なお、表１において、上段の歯数Ｚ１はカウンタシャフト１５に設けられたギヤの歯数、中段の歯数Ｚ２はインプットシャフト１１，１３又はアウトプットシャフト１４に設けられたギヤの歯数を示している。
【００５１】
【表１】
2015086930.tif 000003
【００５２】
【表２】
2015086930.tif 000004
【００５３】
表２から１〜２速間及び、５〜７速間の各段間比を求めると、１〜２速間の段間比は約１．６４８（＝１速／２速）、５〜７速の段間比も約１．６４８（＝５速／７速）となり、これらは互いに略等しくなる。変速フィーリングを良好に維持するためには、低速段側の段間比を広く設定し、高速段側の段間比を狭く設定することが好ましい。本実施形態では、１〜２速間の段間比を拡張し、これに伴い５〜７速間の段間比が拡張されても、独立してギヤレシオを設定可能な６速用変速ギヤ対３１が設けられているため、例えば図１０に示すように、高速段側の段間比を狭く設定することができる。
【００５４】
また、減速ギヤ対である３速用変速ギヤ対３０、１／２速兼用変速ギヤ対３２、４速用変速ギヤ対３４のアウトプットギヤは、全てアウトプットシャフト１４に遊転支持され、増速ギヤ対である６速用変速ギヤ対３１のアウトプットギヤ３１Ａのみがアウトプットシャフト１４に固定されている。そのため、アウトプットシャフト１４に対して常に増速されるカウンタギヤが存在しなくなり、高速回転による発熱や摩耗等が効果的に抑止される。
【００５５】
次に、本実施形態に係るツインクラッチ式変速機による作用効果を説明する。
【００５６】
従来型のツインクラッチ式変速機では、１〜２速間の段間比と５〜６速間の段間比とが互いに等しくなるため、これらを個別に最適な値に設定することができず、変速フィーリングの悪化を招く課題がある。
【００５７】
これに対し、本実施形態のツインクラッチ式変速機では、１〜２速間の段間比と５〜７速間の段間比とが互いに等しくなるが、５〜７速間にはギヤレシオを独立して設定可能な６速用変速ギヤ対３１が設けられている。すなわち、変速フィーリングを良好にすべく、低速側の１〜２速の段間比を拡張し、これに伴い５〜７速間の段間比が拡張されても、５〜７速間を補う６速用変速ギヤ対３１によって高速段側の段間比を狭く設定できるように構成されている。したがって、本実施形態のツインクラッチ式変速機によれば、高速段側ほど狭くなる良好な段間比を設定することが可能となり、変速フィーリングを効果的に向上することができる。
【００５８】
また、従来型のツインクラッチ式変速機では、減速ギヤ対（例えば、４速用変速ギヤ対）のアウトプットギヤがアウトプットシャフトに固定されている。そのため、アウトプットシャフトが高速回転すると、カウンタギヤはアウトプットシャフトよりもさらに増速されて回転することになり、発熱や摩耗、損失増加等を招く課題がある。
【００５９】
これに対し、本実施形態のツインクラッチ式変速機では、アウトプットシャフト１４に６速アウトプットギヤ３１Ａのみが固定され、他のアウトプットギヤはアウトプットシャフト１４に遊転支持されている。６速用変速ギヤ対３１は増速ギヤ対のため、アウトプットシャフト１４の回転は常時減速されて６速カウンタギヤ３１Ｂに伝達される。したがって、本実施形態のツインクラッチ式変速機によれば、アウトプットシャフト１４に対して常に増速されるカウンタギヤが存在しないため、カウンタギヤの発熱や摩耗、損失増加等を効果的に抑制することができる。
【００６０】
なお、本発明は、上述の実施形態に限定されるものではなく、本発明の趣旨を逸脱しない範囲で、適宜変形して実施することが可能である。
【００６１】
例えば、３速カウンタギヤ３０Ｂ及び、第１カウンタギヤ２０Ｂは、必ずしも一体に形成される必要はなく、別体に形成されてもよい。この場合は、３速カウンタギヤ３０Ｂ及び、第１カウンタギヤ２０Ｂをシンクロ機構等によって、カウンタシャフト１５と選択的に連結可能に構成すればよい。
【符号の説明】
【００６２】
２  エンジン
１０  第１クラッチ
１１  第１インプットシャフト
１２  第２クラッチ
１３  第２インプットシャフト
１４  アウトプットシャフト
１５  カウンタシャフト
２０  第１プライマリギヤ対
２１  第２プライマリギヤ対
３０  ３速用変速ギヤ対
３１  ６速用変速ギヤ対
３２  １／２速兼用変速ギヤ対
３４  ４速用変速ギヤ対
４０  第１シンクロ機構
４１  第２シンクロ機構
４２  第３シンクロ機構
４３  第４シンクロ機構
【図１】
2015086930.tif 000005
【図２】
2015086930.tif 000006
【図３】
2015086930.tif 000007
【図４】
2015086930.tif 000008
【図５】
2015086930.tif 000009
【図６】
2015086930.tif 000010
【図７】
2015086930.tif 000011
【図８】
2015086930.tif 000012
【図９】
2015086930.tif 000013
【図１０】
2015086930.tif 000014